(57)【要約】      （修正有）【課題】居眠り、仮眠、うたた寝等が容易で、かつ、気分を良くすることができる枕を提供する。【解決手段】仮眠、うたた寝、居眠りの際に使用すると気持ちよく休憩ができるものである。前記枕の形状は、腕の幅と比較してやや広めであり、かつ、前記幅より薄めの形状からなるが、大きさと厚さを好みに合わせることができる。前記枕の下部には、前記枕の長さよりやや短めで、前記枕を弾性的に包むとともに、腕に嵌めることができる腕取付兼枕収納部が取り付けられている。前記枕は、不使用時に、腕取付兼枕収納部に収納され、仮眠またはうたた寝等の時に、腕に嵌められて、枕の上におでこが載せられる。【選択図】図１
0003118206.tif 000002
【実用新案登録請求の範囲】
【請求項１】
腕の幅と比較してやや広めと、前記幅より薄めの任意の形状からなる枕と、
前記枕に取り付けられ、前記枕を弾性的に包むとともに、前記腕に嵌めることができる腕取付兼収納部と、
から少なくとも構成されていることを特徴とする枕。
【請求項２】
前記枕には、着脱自在のカバーが取り付けられていることを特徴とする請求項１に記載された枕。
【請求項３】
前記枕には、少なくとも一箇所に絞り部を設け、湾曲した形状からなることを特徴とする請求項１または請求項２に記載された枕。
【請求項４】
手の平とほぼ同じ形状からなる枕と、
前記枕に取り付けられ、前記枕を弾性的に包むとともに、前記手の平に嵌めることができる手の平取付兼収納部と、
から少なくとも構成されていることを特徴とする枕。
【考案の詳細な説明】
【技術分野】
【０００１】
本考案は、居眠り、仮眠、うたた寝等が容易で、かつ、気分を良くすることができる枕に関するものである。本考案の枕は、通常の睡眠用の枕より大きさが小さく、内部に入れる心材を同じにすることができる。
【背景技術】
【０００２】
従来の腕枕は、たとえば、登録実用新案公報第３０４０４５１号に記載されているように、枕に面ファスナーを取り付け、前記面ファスナーどうしを接着して、筒状にして、腕に巻き付けている。また、特開平１１−１６４７６１号公報に記載されているベビー用腕枕は、簡単に腕に装着でき、長時間乳幼児を抱いても、腕がだるくなったり、あるいは、痛くなることがないように、弾力性部材が充填された腕枕と、裏面側に腕挿入用帯部が設けられている。
【特許文献１】登録実用新案公報第３０４０４５１号
【特許文献２】特開平１１−１６４７６１号公報
【考案の開示】
【考案が解決しようとする課題】
【０００３】
前記特許文献に記載されている腕枕は、子供を抱く際に、腕が痛くならないようにするものであり、居眠り、仮眠、うたた寝等に使用するものではない。また、前記特許文献に記載されている腕枕は、使用しない場合のことが考慮されていない。前記居眠り、仮眠、うたた寝等は、我慢できない場合が多い。この様な場合、前記居眠り等は、我慢しようと努力しても、集中ができなくなるだけで、短時間に解消することができない。
【０００４】
以上のような課題を解決するために、本考案は、腕に枕を嵌めて、居眠り、仮眠、うたた寝等を行うことで、眠気をできるだけ速く解消することができる枕を提供することを目的とする。本考案は、短時間に気持ち良く、前記居眠り等を行うことができる枕を提供することを目的とする。
【課題を解決するための手段】
【０００５】
（第１考案）
第１考案の枕は、腕の幅と比較してやや広めと、前記幅より薄めの任意の形状からなる枕と、前記枕に取り付けられ、前記枕を弾性的に包むとともに、前記腕に嵌めることができる腕取付兼収納部とから少なくとも構成されていることを特徴とする。
【０００６】
（第２考案）
第２考案の枕には、着脱自在のカバーが取り付けられていることを特徴とする。
【０００７】
（第３考案）
第３考案の枕には、少なくとも一箇所に絞り部を設け、湾曲した形状からなることを特徴とする。
【０００８】
（第４考案）
第４考案の枕は、手の平とほぼ同じ形状からなる枕と、前記枕に取り付けられ、前記枕を弾性的に包むとともに、前記手の平に嵌めることができる手の平取付兼収納部とから少なくとも構成されていることを特徴とする。
【考案の効果】
【０００９】
本考案によれば、持ち運びが簡単で、枕を腕に嵌めておでこを付けることで、仕事中や講義中であっても、気持ち良く居眠り、仮眠、うたた寝等ができる。前記枕は、居眠り、仮眠、うたた寝等が行われない場合、腕に嵌める部分を前記枕に嵌めて収納することができるため、コンパクトで持ち運び等に便利である。
【００１０】
本考案によれば、前記枕は、前記通常の枕より小型であるため、仕事中、一休みするのに最適であるだけでなく、動物等の形状、あるいは、動物の絵や、キャラクター、恋人の写真等がプリントされていると、マスコット代わりにもなり、常時腕にぶら下げて携行することもできる。
【考案を実施するための最良の形態】
【００１１】
（第１考案）
第１考案の枕は、仮眠、うたた寝、居眠りの際に使用すると気持ちよく休憩ができるものである。前記枕の心材は、木綿綿、合成綿、そば殻、その他通常の枕に使用するものと同じもので良い。前記枕の形状は、腕の幅と比較してやや広めであり、かつ、前記幅より薄めの形状からなるが、大きさと厚さを好みに合わせることができる。また、前記枕の形状は、方形、円形、楕円形、あるいは、動物形等任意にすることができる。前記枕の下部には、前記枕の長さよりやや短め、またはやや長めで、前記枕を弾性的に包むとともに、腕に嵌めることができる腕取付兼枕収納部が取り付けられている。前記枕は、不使用時に、腕取付兼枕収納部に収納され、仮眠またはうたた寝等の時に、腕に嵌められて、枕の上におでこが載せられる。
【００１２】
（第２考案）
第２考案の枕には、着脱自在になる枕カバーが取り付けられている。前記カバーは、一般の枕カバーと同じものであり、おでこの油や汗が付着して汚れた場合、取り外して洗濯が容易である。
【００１３】
（第３考案）
第３考案の枕は、少なくとも一箇所に絞り部が設けられ、前記絞り部によって形状がやや湾曲になっている。前記湾曲形状は、おでこの形状とほぼ一致させることが望ましい。
【００１４】
（第４考案）
第４考案の枕は、手の平に嵌めて首筋に当てがわれる。肘は、机の上に置かれた状態で仮眠またはうたた寝等が容易にできるものである。前記枕の形状は、手の平とほぼ同じ形状で、厚みも比較的薄めにできている。前記枕には、弾性的に包むとともに、前記手の平に嵌めることができる手の平取付兼収納部が取り付けられている。
【実施例１】
【００１５】
図１（イ）から（ハ）は本考案の第１実施例である腕枕を説明するための概念図である。図１（イ）において、本考案の腕枕１１の形状は、通常の睡眠用のものと相似形で、かつ、小型にしたものである。すなわち、前記腕枕１１は、腕に嵌めた際に大き過ぎず、また、小さ過ぎない形状である。また、前記腕枕１１の形状は、偏平型、俵型、布団型等がある。前記腕枕１１は、図１（ハ）に示すように、下部に腕を挿入する腕取付兼収納部１２が縫い付け部１３で取り付けられている。
【００１６】
前記腕取付兼収納部１２は、不使用時に、図１（イ）で示すようになっており、使用時に、図１（ロ）に示すように、前記腕取付兼収納部１２を腕枕１１から外し（図１（ハ）に示された状態）、前記腕取付兼収納部１２に腕を挿入する。前記腕枕１１は、縦、横、長さの寸法を特に限定する必要がなく、好みに合った任意の形状とすることができる。  
【００１７】
図２（イ）および（ロ）は腕枕の使用態様の一例を説明するための図である。図２（イ）に示された例は、後頭部２２に腕枕１１を嵌めた腕２１を置いて休む状態である。図２（ロ）に示された例は、椅子２５に座った者が机２６にうつ伏せになった状態である。居眠り、仮眠、うたた寝等をしたい時、腕枕１１を嵌めた腕２１を組むようにして机２６の上に置き、腕枕１１の上におでこ２２１を載せることにより、疲れを癒したり、居眠り等を行うことが容易にできる。
【実施例２】
【００１８】
図３は本考案の第２実施例で、腕枕に枕カバーを取り付けた例を説明するための概念図である。図３において、第２実施例の腕枕１１には、枕カバー３１が着脱自在に取り付けられる。前記枕カバー３１は、腕枕１１を覆った後、外れないようにする絞り部３２が設けられている。前記絞り部３２は、ゴム紐、あるいは、木綿紐等を緩めたり、締めたりできるようにすることができる。前記枕カバー３１は、着脱が自在であるため、しばしば洗濯することにより、常に清潔にしておくことができる。
【実施例３】
【００１９】
図４は本考案の第３実施例で、形状が異なる腕枕の例を説明するための概念図である。図４において、腕枕４１は、第１実施例の腕枕１１と同様に、腕取付兼収納部４２が設けられている。第３実施例の腕枕４１は、絞るように縫われている絞り部４４、４４′が設けられている点で、第１実施例と異なっている。前記絞り部４４、４４′は、任意の数だけ設けることができ、おでこ載置部４５の形状を好みに合せて湾曲させることができる。
【実施例４】
【００２０】
図５（イ）および（ロ）は本考案の第４実施例で、手の平に嵌めて休む手の平枕を説明するための図である。図５（イ）に示す手の平枕５１は、前記腕枕１１より薄めで、かつ、小型に作製されることが望ましい。前記手の平枕５１は、下部に手の平取付兼収納部５２が縫い付け部５３において取り付けられている。前記手の平枕５１は、手の平５５を手の平取付兼収納部５２に挿入した後、図５（ロ）に示すように、手の平枕５１を首筋５６の近傍に置き、居眠り、仮眠、うたた寝等をゆっくり行うことができる。
【産業上の利用可能性】
【００２１】
以上、本実施例を詳述したが、本考案は、前記本実施例に限定されるものではなく、実用新案登録請求の範囲に記載されている事項を逸脱することがなければ、種々の設計変更を行うことが可能である。本実施例における腕枕または手の平枕は、好きな動物や玩具の形状にしたり、あるいは、流行りのキャラクター、愛人、または、可愛い飼い犬等の写真をプリントしておくことにより、居眠り、仮眠、うたた寝等用以外に、小型で軟らかいため、マスコットとして持ち歩き、肌に触れさせるだけでも、心を癒すことができる。前記枕および取付兼収納部の生地、あるいは、内容物は、公知または周知の材料を採用することができる。
【図面の簡単な説明】
【００２２】
【図１】（イ）から（ハ）は本考案の第１実施例である腕枕を説明するための概念図である。（実施例１）
【図２】（イ）および（ロ）は腕枕の使用態様の一例を説明するための図である。
【図３】本考案の第２実施例で、腕枕に枕カバーを取り付けた例を説明するための概念図である。（実施例２）
【図４】本考案の第３実施例で、形状が異なる腕枕の例を説明するための概念図である。（実施例３）
【図５】（イ）および（ロ）は本考案の第４実施例で、手の平に嵌めて休む手の平枕を説明するための図である。（実施例４）
【符号の説明】
【００２３】
１１・・・腕枕
１２・・・腕取付兼収納部
１３・・・縫い付け部
２１・・・腕
２２・・・後頭部
２２１・・・おでこ
２５・・・椅子
２６・・・机
３１・・・枕カバー
３２・・・絞り部
４１・・・腕枕
４２・・・腕取付兼収納部
４４、４４′・・・絞り部
４５・・・おでこ載置部
５１・・・手の平枕
５２・・・手の平取付兼収納部
５３・・・縫い付け部
５５・・・手の平
５６・・・首筋
【図１】
0003118206.tif 000003
【図２】
0003118206.tif 000004
【図３】
0003118206.tif 000005
【図４】
0003118206.tif 000006
【図５】
0003118206.tif 000007